(57)【特許請求の範囲】
【請求項１】
所要箇所に向けた光を発する光源と、周囲の明暗を検知する光センサと、前記光センサの検出に基づき前記光源の発光を制御する制御部を備える照明器具において、
前記照明器具に設けられ前記光センサへ周囲光を取り入れる採光窓と、前記採光窓を塞ぐように取り付けた透光性の採光カバーと、前記光センサを取り付けたるセンサ基板と、前記光センサを収容する遮光カバーとを備え、
前記採光カバーは、前記採光窓から前記照明器具内に延びる弾力性の筒状結合部を備え、
前記遮光カバーは、前記光センサを収容し前記採光窓側に採光開口を有する筒状収容部と、前記採光開口の反対側の開口の周囲を巡り前記センサ基板が環状面接触するフランジと、前記フランジから筒状収容部の反対側へ延出する係止爪を備え、
前記センサ基板は、係止孔を備え、
前記係止爪が前記係止孔に係止されることで、前記フランジと前記センサ基板とが環状面接触し、
前記採光カバーの筒状結合部が前記遮光カバーの筒状収容部に環状密着する、
ことを特徴とする照明器具。
【請求項２】
前記遮光カバーは、前記フランジから延出し前記筒状収容部の外周面を筒状に覆う外覆筒状部を備え、
前記採光カバーの筒状結合部と前記遮光カバーの筒状収容部の環状密着状態において、前記外覆筒状部の先端が前記採光窓の周縁部に当接または近接し、
前記制御部が備える制御基板の端部が、前記センサ基板に当接または近接する、
ことを特徴とする請求項１に記載の照明器具。
【発明の詳細な説明】
【技術分野】
【０００１】
本発明は、周囲の明暗を光センサで検出して光源の点灯制御を行う照明器具に関する。
【背景技術】
【０００２】
周囲の明暗照度を光センサが検知することにより、点灯制御回路が照明器具の光源であるＬＥＤ（発光ダイオード）を点灯するか消灯するかを制御するが、照明器具内の光源であるＬＥＤの光が光センサに届くと、ＬＥＤが点灯し、その光を光センサが検知してＬＥＤが消灯し、その消灯による低下した照度を光センサが検知して再びＬＥＤが点灯し、その光を光センサが検知してＬＥＤが消灯する、このような誤動作を繰り返す虞がある。
【０００３】
また、屋外設置の道路灯等の照明器具は、照明器具の取り付け部を支柱等に取り付けた状態で、光センサの検知とその検知による点灯制御回路が正常に動作するか否かを確認する作業を行う。
照明器具の形態が、ＬＥＤを配列したＬＥＤ基板が金属製の本体の下側開口に対面して配置され、このＬＥＤとＬＥＤ基板を覆うように本体の下側開口を透光性カバーで覆う形態である場合、前記作業を日中の天空照度（外光照度）が高い状態で行う際、外光を遮断するために光センサの周囲を遮光部材で覆っても、外光が透光性カバーを透過して照明器具内に入り、それが光センサに届いて誤動作し、光センサと点灯制御回路が正常に動作するか否かの確認ができない虞がある。
【０００４】
照明器具の一つである防犯灯は、ＬＥＤ素子の発光によって路面等を照射するために、照明器具の取り付け部を支柱等に取り付け、その取り付け状態において、周囲の明暗を光センサで検知し、ＬＥＤの発光制御を行うものがある（特許文献１）。
【０００５】
特許文献１の光センサ（受光センサと称している）は、図１、図５、図７、図９に示されるように、自動点滅基板７１の上下切欠きに遮光部材７３の一端の自動点滅基板収納凹部７３ａが嵌り合い、遮光部材７３の他端を本体１に形成した溝１４ａに嵌め込み、点灯制御装置６が本体１に固定されるとき、自動点滅スイッチの底部６１と本体１に形成した基板固定用スリット１８ａ〜１８ｄによって自動点滅基板７１が挟持され、遮光部材７３が本体１に固定される。
【先行技術文献】
【特許文献】
【０００６】
【特許文献１】特開２０１４ー１２７２４７号公報
【発明の概要】
【発明が解決しようとする課題】
【０００７】
このような特許文献１の光センサ（受光センサと称している）の本体１への取り付けは、以下のようなことが想定される。即ち、
自動点滅基板７１の上下切欠きに遮光部材７３の一端の自動点滅基板収納凹部７３ａが嵌り合うため、この部分からの光の侵入を防止するためには、隙間ない組み合わせとする必要があるが、そのようにすれば組み立てがし難く作業性が悪い。
また、遮光部材７３の他端を本体１に形成した溝１４ａに嵌め込むため、この部分からの光の侵入を防止するためには、隙間ない組み合わせとする必要があるが、そのようにすれば組み立てがし難く作業性が悪い。
更に、点灯制御装置６の本体１への固定に伴って、自動点滅基板７１が挟持され遮光部材７３が本体１に固定されるため、組み立てがし難く作業性が悪い。
このように光センサ（受光センサと称している）へ侵入する不要な外光を遮るために、多くの部品の構成が必要となり、組み立てが複雑である。
【０００８】
本発明は、このような点に鑑み、光センサへ侵入する不要な外光の遮断を少ない部品の構成によって達成し、組み立てがし易く、且つ低コスト化が達成できるものとする。
このため、光源の点灯・消灯の制御用光センサの本体への取り付けとして、本体に形成した採光窓を塞ぐ透光性の採光カバーと、センサ基板に取り付けた光センサを収容する遮光カバーとの密着構成によって、光センサへ侵入する不要な外光を遮るようにする。
【０００９】
また本発明は、ＬＥＤ（発光ダイオード）を光源とし、このＬＥＤの点灯制御を行う制御回路を構成する電気部品を取り付けた制御基板によって、光センサを取り付けたセンサ基板の後退を阻止することにより、遮光カバーと採光カバーとの結合が外れないようにして、光センサへ侵入する不要な外光を遮るようにする。
【課題を解決するための手段】
【００１０】
第１の本発明の照明器具は、
所要箇所に向けた光を発する光源と、周囲の明暗を検知する光センサと、前記光センサの検出に基づき前記光源の発光を制御する制御部を備える照明器具において、
前記照明器具に設けられ前記光センサへ周囲光を取り入れる採光窓と、前記採光窓を塞ぐように取り付けた透光性の採光カバーと、前記光センサを取り付けたセンサ基板と、前記光センサを収容する遮光カバーとを備え、
前記採光カバーは、前記採光窓から前記照明器具内に延びる弾力性の筒状結合部を備え、
前記遮光カバーは、前記光センサを収容し前記採光窓側に採光開口を有する筒状収容部と、前記採光開口の反対側の開口の周囲を巡り前記センサ基板が環状面接触するフランジを備え、
前記採光カバーの筒状結合部が前記遮光カバーの筒状収容部に環状密着する、
ことを特徴とする。
【００１１】
第２の本発明の照明器具は、上記第１において、
前記遮光カバーは、前記フランジから筒状収容部の反対側へ延出する係止爪を備え、
前記センサ基板は、係止孔を備え、
前記係止孔に対する前記係止爪の弾性係止にて、前記フランジと前記センサ基板とが環状面接触状態となる、
ことを特徴とする。
【００１２】
第３の本発明の照明器具は、上記第１または第２において、
前記遮光カバーは、前記環状フランジから延出し前記筒状収容部の外周面を筒状に覆う外覆筒状部を備え、
前記採光カバーの筒状結合部と前記遮光カバーの筒状収容部の環状密着状態において、前記外覆筒状部の先端が前記採光窓の周縁部に当接または近接する、
ことを特徴とする。
【００１３】
第４の本発明の照明器具は、上記第１乃至第３のいずれかにおいて、
前記照明器具内へ取り付けられ前記光源の点灯制御を行う制御回路を有する制御基板を備え、
前記制御基板の端部が前記センサ基板面に近接または当接する、
ことを特徴とする。
【００１４】
第５の本発明の照明器具は、上記第１乃至第４のいずれかにおいて、
前記筒状収容部は、中間部が前記光センサの配置部をなし、前記配置部から前記採光開口まで前記光センサの外周と略同じ内径を有し、前記採光開口から所定範囲までの外周が前記筒状結合部の内径よりも小さい小外形部である、
ことを特徴とする。
【００１５】
第６の本発明の照明器具は、上記第１乃至第５のいずれかにおいて、
前記筒状収容部は、前記配置部に前記光センサの裏側を支持する支持部を有する
ことを特徴とする。
【００１６】
第７の本発明の照明器具は、上記第１乃至第６のいずれかにおいて、
前記筒状収容部は、前記配置部から前記センサ基板までの間に前記光センサのリード間に介在する電気絶縁隔壁を有する
ことを特徴とする。
【００１７】
第８の本発明の照明器具は、上記第１乃至第７のいずれかにおいて、前記光源が不透光性の本体に下側に向けて配置され、
前記本体の後壁に一体に支柱等への取り付け部を備え、
前記採光窓は前記取り付け部の横側で前記本体の後壁に形成されている、
ことを特徴とする。
【発明の効果】
【００１８】
本発明は、採光カバーの筒状結合部が遮光カバーの筒状収容部に環状密着することによって、光源の光や採光カバーを透過して侵入する外光が光センサへ到達することを遮断できるため、光源が安定した自動点滅動作を行うことができる。
【００１９】
また、光源の点灯制御を行う制御回路を有する制御基板の端部が、光センサを取り付けたセンサ基板面に近接または当接する関係によって、センサ基板の後退を阻止することができるため、振動等によって遮光カバーが採光カバーから外れる方向へ移動しようとしても、その結合が外れないように維持でき、光センサへ侵入しようとする不要な外光を遮る状態を維持できるものとなる。
【図面の簡単な説明】
【００２０】
【図１】本発明に係る照明器具の分解斜視図である。
【図２】本発明に係る照明器具の光センサ箇所に対応する縦断面図である。
【図３】本発明に係る照明器具の横断面図である。
【図４】本発明に係る照明器具の本体を下方から視た図である。
【図５】本発明に係るＬＥＤ基板と制御基板を取り付けた状態の照明器具の本体を下方から視た図である。
【図６】本発明に係る照明器具を後方から視た図である。
【図７】本発明に係る照明器具を支柱に取り付けた状態の側面図である。
【図８】本発明に係る照明器具を支柱に取り付けた状態を上方から視た図である。
【図９】本発明に係る照明器具をポールに取り付ける状態を断面で示す説明図である。
【図１０】本発明に係る照明器具をポールに取り付けた状態の側面図である。
【図１１】本発明に係るＬＥＤ基板に配光ユニットを取り付けた状態の説明図である。
【図１２】図１１のＡ−Ａ断面図である。
【図１３】図１１のＢ−Ｂ断面図である。
【図１４】本発明に係る照明器具を道路に沿って配置した状態の配光状態の説明図である。
【図１５】図２の光センサの取り付け部の断面拡大図である。
【図１６】本発明に係る光センサを収容した状態の遮光カバーの断面図である。
【図１７】本発明に係る光センサ、センサ基板及び遮光カバーの分解斜視図である。
【図１８】本発明に係るセンサ基板と遮光カバーを組み合わせた状態の前面図である。
【図１９】図１８のＡ−Ａ断面図である。
【図２０】図１９に光センサを収容した状態の説明図である。
【発明を実施するための形態】
【００２１】
本発明の照明器具は、所要箇所に向けた光を発する光源と、周囲の明暗を検知する光センサと、光センサの検出に基づき光源の発光を制御する制御部を備える照明器具において、照明器具に設けられ光センサへ周囲光を取り入れる採光窓と、採光窓を塞ぐように取り付けた採光カバーと、光センサを取り付けたセンサ基板と、光センサを収容する遮光カバーとを備え、採光カバーは、採光窓から照明器具内に延びる弾力性の筒状結合部を備え、遮光カバーは、光センサを収容し採光窓側に採光開口を有する筒状収容部と、採光開口の反対側で筒状収容部の外方に延びセンサ基板が環状面接触する環状フランジを備え、採光カバーの筒状結合部が遮光カバーの筒状収容部に環状密着する構成である。
以下、本発明の実施形態として、光源をなすＬＥＤ素子７が２列配置されたＬＥＤ照明器具１について、図面を参照して説明する。
【００２２】
本発明の照明器具１は、不透光性の本体２の下面側の周縁部で囲まれた領域にＬＥＤ素子７が放射する光を所定の配光にて出射する発光部６が取り付けられ、前記発光部６の出射光が道路方向に配光される照明器具である。その一つ形態として、図１〜図３に示すように、本体２は、上壁２Ｔと前記上壁２Ｔから下降する周囲壁２Ｓを有し、周囲壁２Ｓで囲まれた下側に開口する開口部２Ａを形成した内部空間４を有する金属等の熱良導材で構成され、支柱等への取り付け部１０を後部に備える。照明器具１は、開口部２Ａを塞ぐように本体２に組み合わされる透光性カバー３を備える前後方向に長い形態であり、開口部２Ａに沿って発光部６を配置している。発光部６は、所要箇所に向けて光を照射する部分であり、ＬＥＤ素子７が放射する光を所定の配光にて出射する部分であり、ＬＥＤ基板５の下側面にＬＥＤ素子７が配置され、ＬＥＤ素子７を覆うようにＬＥＤ基板５に組み合わされＬＥＤ素子７が放射する光を所定の配光にて出射する配光ユニット８を備える。本体２は、内部空間４のうちの大半を占める前部空間４Ａに、上壁２Ｔから垂下してＬＥＤ基板５の上面が当接する前後方向に延びる熱伝導リブ１１を一体に有する。熱伝導リブ１１の左右両側で、本体２の上壁２Ｔ及び周囲壁２ＳとＬＥＤ基板５との間に、本体２の後部から斜め上前方へ延び熱伝導リブ１１の前端と後端で連通する空気通路が形成されている。
【００２３】
図１乃至図５に示すように、本発明のＬＥＤ照明器具１は、下面の略全域が開口するように開口部２Ａを形成し内外両面に防錆効果のある熱伝導性塗装を施した金属製等の熱伝導良好な不透光性の本体２と、この本体２の開口部２Ａを塞ぐように開口部２Ａの周縁部に組み合わされる合成樹脂製の透光性カバー３を備える。透光性カバー３は下方に膨らんだ形態をなし、上端周縁部には上方へ突出するフランジ３Ｆが形成されている。本体２の開口部２Ａの周縁部２Ａ１を巡るように、下方へ突出するフランジ２Ｆを形成している。開口部２Ａの周縁部２Ａ１には、フランジ２Ｆの内側に透光性カバー３のフランジ３Ｆが嵌り込む溝２Ｍを有する。
【００２４】
溝２Ｍにフランジ３Ｆが嵌り込むように、透光性カバー３を本体２の開口部２Ａに組み合わせた状態で、ネジＮＪで開口部２Ａの周縁部２Ａ１に固定する。溝２Ｍとフランジ３Ｆのように嵌り合う凹凸構成によって、本体２と透光性カバー３との間が防水構造をなしている。なお、溝２Ｍの上底にパッキンを収容し、このパッキンがフランジ３Ｆによって圧縮される構成によって、更によい防水効果が得られる。
【００２５】
内部空間４のうちの前部空間４Ａにおいて、開口部２Ａに沿ってＬＥＤ基板５が、後述のように本体２に伝熱的に取り付けられる。電気絶縁性のＬＥＤ基板５は、発光部６を構成する複数のＬＥＤ素子（発光ダイオード）７を下面に実装し、ＬＥＤ素子７への電路が同じ下面にプリント配線として形成され、このプリント配線を絶縁被膜で覆っている。ＬＥＤ基板５の下面には、ＬＥＤ基板５と重ね合わせ状態に配光ユニット８が配置されている。配光ユニット８は透光性合成樹脂製であり、板状部８１に複数の配光部８２を一体形成しており、所定位置において板状部８１が、ＬＥＤ基板５を貫通して本体２に形成した取り付けボス１３Ｂに螺合するネジ９によって取り付けられる。これによって配光ユニット８がＬＥＤ基板５の下面に取り付けられる。配光部８２は、ＬＥＤ素子７ごとに所定の配光となる出射光を形成する部分であり、実施例ではレンズ形態をなし、ＬＥＤ照明器具１の前後方向軸に対して左右方向に長い配光特性を有する。図１及び図１１に示すように、配光ユニット８は、前側配光ユニット８Ｐと後側配光ユニット８Ｑで構成している。
【００２６】
本体２は、上壁２Ｔと上壁２Ｔから開口部２Ａの周縁に至る周囲壁２Ｓで囲まれた熱良導材で構成される。本体２は、アルミニウムを材料としてダイキャスト成形され、下側に開口部２Ａを形成するように上方に膨らむ形態の内部空間４を形成し、内部空間４の開口部２Ａを透光性カバー３で覆う形態である。本体２は、本体２の後壁２Ｂから後方へ延出する状態に、電柱等の支柱へ取り付ける取り付け部１０を一体形成している。また本体２は、内部空間４のうちの大半を占める前部空間４Ａには、ＬＥＤ基板５の上面を支える前後方向に並行に延びる複数の熱伝導リブ１１と、ＬＥＤ基板５を取り付ける取り付けボス１３が本体２に一体に形成されている。取り付けボス１３は、熱伝導リブ１１にＬＥＤ基板５の上面が当接した状態でプリント配線とは接続しない位置に形成したＬＥＤ基板５の４隅の孔５Ｐを通してネジ１２でＬＥＤ基板５を取り付ける部分である。ＬＥＤ基板５は、取り付けボス１３に取り付けられた状態で、中央部が前後方向に並ぶ本体２に一体形成されたボス１３Ｂで支えられると共に、前部空間４Ａにおける開口部２Ａの多くを塞ぐように、開口部２Ａよりも若干空間４側へ入った位置（前部空間４Ａ側へ入った位置）において、開口部２Ａに略並行に沿った状態である。本体２の内部空間４は、前部から後部に向けて次第に深くなる（開口部２Ａを基準とすれば次第に上方に高くなる）ように形成している。
【００２７】
ＬＥＤ照明器具１は、本体２の後壁２Ｂを後部１Ａとしてそこから前部１Ｂへ長く延びる形態をなし、発光部６の発光によって、図１４に示すように、配光ユニット８と透光性カバー３を通して道路の路面を道路方向に長い配光となるように照射する。図１４に示す波紋状の線は、照明器具１に近い領域の照度が高く、遠くなるにしたがって照度が低下する状態の説明用である。
このため、本体２と透光性カバー３は、後部１Ａから前部１Ｂへ長く延びる形態をなし、本体２内に形成される内部空間４も前後方向に長く、内部空間４はその前部空間４Ａと後部空間４Ｂが連通状態に形成される。そして、ＬＥＤ基板５及び前部空間４Ａも前後方向に長い形態であり、ＬＥＤ基板５は前後方向に長い矩形状の平板形状である。
図７及び図１０に示すように、ＬＥＤ照明器具１は、水平ラインに対して開口部２Ａのラインが、後部１Ａより前部１Ｂが角度αだけ若干高くなる傾斜状態を保つ。この状態で、透光性カバー３の下面は前部から後部に向けて次第に下方となる傾斜をなしており、後部から急峻に本体２に向けた立ち上がり部３Ｇを形成する形態をなし、透光性カバー３の最低部には、排水孔５１とその周囲を囲む突壁４０を備える。
【００２８】
ＬＥＤ基板５は前後方向に長い平板の矩形状をなし、ＬＥＤ素子７は、前後方向に長い矩形状のＬＥＤ基板５の下側面に、前後方向に間隔を存して複数列状態に配置され、熱伝導リブ１１は、ＬＥＤ素子７の各列の裏側（上面側）に対向する位置に形成する。
実施例の場合は、ＬＥＤ素子７はＬＥＤ基板５に前後方向に等間隔でもって左右対称に２列状態に配置され、図３及び図４に示すように熱伝導リブ１１は、２列配置のＬＥＤ素子７に対向する位置の裏側（上面側）に形成している。熱伝導リブ１１の後端は後部空間４Ｂに臨む位置であり、本体２と一体形成される熱伝導リブ１１の前端は前部空間４Ａの前壁２Ｇの後方位置である。
ＬＥＤ基板５の下面の後端部に、制御部１４のコネクタ１４Ｃと電気的に接続するためにコネクタ９５が配置されている。
【００２９】
ＬＥＤ基板５の上面には、電気的接続とならないように、下面のプリント配線とは接続しない状態に放熱用の熱伝導被膜（図示せず）が形成されており、この熱伝導被膜が熱伝導リブ１１に当接して、ＬＥＤ基板５の発熱をこの熱伝導被膜から熱伝導リブ１１を経て本体２の表面から放熱する仕組みである。このため、ＬＥＤ基板５から熱伝導リブ１１を通して本体２に伝達される熱の伝達効果を向上させるために、熱伝導リブ１１は、ＬＥＤ素子７の裏側（上面側）に対向する位置に形成する。
【００３０】
また、ＬＥＤ照明器具１は、ＬＥＤ素子７に点灯電力を供給する電源部と、ＬＥＤ素子７の点灯と消灯の制御を行う制御回路とを含む制御部１４が、前部空間４Ａの後方に位置する後部空間４Ｂに配置されている。このため、制御部１４は、ＬＥＤ基板５よりも後方配置となる。制御部１４は、電源部を構成する電気部品及び前記制御回路を構成する電気部品ＥＰがプリント配線基板である制御基板１５の下側面に取り付けられる。
【００３１】
図１、図２及び図５に示すように、制御基板１５は、後部空間４Ｂに本体２から一体に突出する４個の取り付けボス１６、１６Ｂに載置した状態で、その対角線上の２か所の取り付けボス１６をネジ１７で固定し、本体２と熱伝導状態となる。残りの対角線上の２か所の取り付けボス１６Ｂは、制御基板１５に形成した対角線上の２か所の孔に嵌合する突起１６Ｔを中央部に備えた位置決めボスである。
この取り付け状態で、制御基板１５は、開口部２Ａから深く空間４側へ入った位置（後部空間４Ｂの上壁に近く入った上方位置）であり、ＬＥＤ基板５よりも上方位置となるように、内部空間４内へ深く入った位置（本体２の上壁に近い位置）を維持する。
【００３２】
内部点検等のために透光性カバー３が本体２から取り外された状態で、作業者が制御部１４の電気回路部分に触れると危険であるため、その危険防止のために、制御部１４を下側から全体的に覆う保護カバー１８を設けている。この保護カバー１８は、後部空間４Ｂに本体２から一体に突出する４個の取り付けボス１９、１９Ｂに載置した状態で、その対角線上の２か所の取り付けボス１９をネジ２０で固定し、残りの対角線上の２か所の取り付けボス１９Ｂは、保護カバー１８に形成した対角線上の２か所の孔に嵌合する突起１９Ｔを中央部に備えた位置決めボスである。
この取り付けによって、保護カバー１８は、制御基板１５及び電気部品ＥＰを含む制御部１４と離間した状態であり、制御基板１５及び電気部品ＥＰに作業者が触れることによる感電を防いでいる。
保護カバー１８は、金属板か不透明状態の合成樹脂板で構成され、透光性カバー３を通して外部から制御部１４が見えないようにする効果もある。
【００３３】
ＬＥＤ照明器具１は、周囲の照度を検知して日暮れ時から夜明けまでの夜間にＬＥＤ素子７が点灯するように制御部１４に電気的に接続された光センサ（照度センサともいう）ＳＳを備える。図１、図２、図５及び図１５に示すように、光センサＳＳは、制御基板１５と電気的に接続されるセンサ基板１５Ｈに取り付けた光を透過しない遮光カバー２１内に保持されており、光センサＳＳがＬＥＤ照明器具１の後方の周囲の照度を検知するように、遮光カバー２１が本体２の後壁２Ｂに形成した採光窓（採光孔ともいう）２Ｈに保持されている。図２、図１５乃至図１７、図２０に示すように、遮光カバー２１は、光センサＳＳへ周囲の光が侵入するように後方に開口４５を有しており、この開口４５と採光窓２Ｈを防水状態に塞ぐように透光性の採光カバー２２が採光窓２Ｈに挿入保持され、透光性の採光カバー２２と遮光カバー２１が結合されて、遮光カバー２１が採光窓２Ｈに保持される関係である。
【００３４】
図４乃至図６に示すように、採光窓２Ｈは取り付け部１０から外れた位置となるように、取り付け部１０の横外側で後壁２Ｂに形成されている。取り付け部１０による照明器具１の取り付けにおいて、光センサＳＳがＬＥＤ照明器具１の後方の周囲の照度を検知でき、光センサＳＳが、日没による低下した照度を検知し制御部１４の動作に基づきＬＥＤ素子７を発光させ、日の出による上昇した照度を検知し制御部１４の動作に基づきＬＥＤ素子７を消灯させるように、光源であるＬＥＤ素子７の点灯・消灯の制御動作が行われる。
【００３５】
ＬＥＤ照明器具１へ外部電源から電力供給を行うために、ＬＥＤ照明器具１へ供給される外部電源ライン２３は、本体２の後壁２Ｂに形成した貫通孔２４に挿入される絶縁ゴム製のブッシング２５を貫通し、その先端に取り付けた電源コネクタ２６が制御部１４の電源部に電気的に接続される。
【００３６】
配光ユニット８を構成する分離配光ユニット８Ｐ、８Ｑは、ＬＥＤ素子７の配列に合わせて、前後に間隔を存してＬＥＤ基板５の下側面に重ね合わせ状態で組み合わされ、その板状部８１がＬＥＤ基板５を貫通して、一列配置の３個の取り付けボス１３Ｂの中間のもの１３Ｂ１を除き前後の取り付けボス１３Ｂにそれぞれネジ９で取り付けられる。
【００３７】
分離配光ユニット８Ｐ、８ＱとＬＥＤ素子７の配列については、２列状態のＬＥＤ素子７のうち、前側の８個のＬＥＤ素子７が前側の分離配光ユニット８Ｐと対応配置され、後側の８個のＬＥＤ素子７が後側の分離配光ユニット８Ｑと対応配置され、図１１に示すように、前側の８個のＬＥＤ素子７に前側の分離配光ユニット８Ｐの第１の配光特性部８３Ａの夫々が対応し、後側の８個のＬＥＤ素子７に後側の分離配光ユニット８Ｑの第１の配光特性部８３Ａの夫々が対応し、図１４に示すような左右方向に長い配光となる。
【００３８】
配光ユニット８を構成する前側配光ユニット８Ｐと後側配光ユニット８Ｑは、ＬＥＤ照明器具１の前後方向に対して、左右方向に楕円形、長円形等のように長く延びる左右方向の配光特性が形成されるように、配光部８２として、ＬＥＤ素子７ごとに所定配光の出射光を形成する第１の配光特性部８３Ａを形成している。このため、第１の配光特性部８３Ａは、図１、図１１、図１２、図１３から明らかなように、板状部８１からかまぼこ形態または米俵の半分の形態のように、断面が略一定の半円形で以って左右方向に長く前後端部が球面状をなして下方へ突出するレンズ構成であり、内部にＬＥＤ素子７が侵入する下方に向けて窄む窪み９３が形成されている。実施例では、各配光特性部８３Ａからの出射光による配光は、同じ配光形態となる構成であるが、ＬＥＤ照明器具１の求める照射形態に応じて、それぞれ異なる配光形態となる構成でもよい。
【００３９】
なお、図面に示す第１の配光特性部８３Ａは、中央部に長さ方向の直線が描かれ、この直線の前後端部から斜線が描かれているが、これはコンピュータ作図によって生じる曲面の表示であり、配光特性部８３Ａの形態は上記のように、断面が略一定の半円形状の長さの両端部が球面形状のレンズ構成である。
【００４０】
取り付け部１０は、電柱等の支柱ＰＬに取り付けバンド３０によって取り付ける第１取り付け部１０１と、支柱ＰＬに代わり先端部が横へ延びる円筒状または円柱状のポールＰＰの先端部が挿入される第２取り付け部１０２を備えており、第１取り付け部１０１と第２取り付け部１０２は本体２と一体に形成される。
【００４１】
第２取り付け部１０２は、ポールＰＰの斜め上方に向く先端部が挿入されるように、本体２の後壁２Ｂに連続して後方へ延びる円筒状をなし、その円筒状の前面は本体２の後壁２Ｂで塞がれ、その円筒状の後面は解放してポールＰＰの先端部ＰＰ１が挿入される挿入開口１０２Ｋを有する形態である。また、第２取り付け部１０２は、円筒状の後端面１０２Ｒは、支柱ＰＬの柱面（周面）が接触しないような逃げ部となる曲面形状をなす。このため、円筒状の後端面１０２Ｒの曲面は、好ましくは、支柱ＰＬの柱面（周面）の曲面と同等または若干小さな半径で描かれる曲面形状である。
【００４２】
第１取り付け部１０１は、第２取り付け部１０２と一体化する状態で、第２取り付け部１０２の左右両側に並行状態に配置された縦方向の板状の左右取り付け板部１０１Ｂで構成される。左右取り付け板部１０１Ｂの後端面１０１Ｒは、支柱ＰＬの柱面（周面）に縦方向に沿う直線状をなす。左右取り付け板部１０１Ｂと第２取り付け部１０２には、取り付けバンド３０が挿通され係止する縦方向に長い取り付け孔３１を有する。
【００４３】
このように第１取り付け部１０１により支柱ＰＬにＬＥＤ照明器具１を取り付けた状態は、図７に示すように、ＬＥＤ照明器具１は、水平ラインに対して開口部２Ａのラインが、後部１Ａより前部１Ｂが角度αだけ若干高くなる傾斜状態を保つ。このような状態となるように、取り付け部１０１が構成されている。これによって、配光部８２のレンズ効果によって、ＬＥＤ照明器具１の前後方向軸に対して左右方向に長い配光が形成されるため、左右方向に長い道路面を照射することができる。
【００４４】
また、第２取り付け部１０２によりＬＥＤ照明器具１を取り付けた状態は、図１０に示すようにＬＥＤ照明器具１は、水平ラインに対して開口部２Ａのラインが、後部１Ａより前部１Ｂが角度αだけ若干高くなる傾斜状態を保つ。このような状態となるように、取り付け部１０２が構成されている。これによって、配光部８２のレンズ効果によって、ＬＥＤ照明器具１の前後方向軸に対して左右方向に長い配光が形成されるため、左右方向に長い道路面を照射することができる。
【００４５】
このような第１の配光特性部８３Ａによって、ＬＥＤ素子７の発光がレンズ効果によって左右方向へ拡がり、ＬＥＤ照明器具１の下方を左右に通る道路面に左右方向に長く延びる配光が形成される。この状態の道路面の配光の一例を図１４に示す。
【００４６】
次に、光センサＳＳが外光によって誤動作しないように外光を遮光する構成、及びセンサ基板１５Ｈと制御基板１５の関係について記載する。
【００４７】
図２、図１５乃至図２０に示すように、照明器具１に設けられた採光窓２Ｈを塞ぐように透光性の採光カバー４０と、光センサＳＳを収容する遮光カバー２１とを備える。
採光窓２Ｈは本体２の後壁２Ｂに形成され、採光カバー４０は、採光窓２Ｈの外周面に密着するフランジ形成の球状外表面を持つ透光性の採光頭部４２と、採光窓２Ｈから照明器具１内である本体２内に延びるように採光頭部４２の裏面から延出する弾性の筒状結合部４３と、採光頭部４２と所定間隔を存して筒状結合部４３の外周に等角度間隔に形成した弾性係止部４４とを備える。
【００４８】
遮光カバー２１は、採光カバーの筒状結合部４３が密着嵌合するために、光センサＳＳを収容し採光窓２Ｈ側に採光開口４５を有する筒状収容部４６を有する。また、遮光カバー２１とセンサ基板１５Ｈとの結合部として、採光開口４５の反対側の開口の周囲を巡るように、筒状収容部４６の外方に延びるフランジ４７を備える。
【００４９】
フランジ４７へのセンサ基板１５Ｈの取り付けのために、フランジ４７には、筒状収容部４６の反対側へ延出する係止爪４８を形成し、センサ基板１５Ｈには係止爪４８が係止する係止孔４９を有する。
係止孔４９に対する係止爪４８の有する弾性にて双方が弾性係止し、フランジ４７面にセンサ基板１５Ｈの面が密着し、双方が環状の面接触状態となる。このため、センサ基板１５Ｈ側から筒状収容部４６内への外光の侵入が遮断される。
【００５０】
採光カバー４０は、採光窓２Ｈの直径よりも採光頭部４２の外形が十分大きいため、本体２の後壁２Ｂの後方から筒状結合部４３を採光窓２Ｈに挿通させ、弾性係止部４４がその弾力性によって採光窓２Ｈを通過するように押圧操作することにより、採光頭部４２と弾性係止部４４とで採光窓２Ｈの周縁部を弾性的に挟持する。この状態で、本体の後壁２Ｂに採光カバー４０が保持される。
【００５１】
このように本体の後壁２Ｂに保持された採光カバー４０に対して、上記のようにセンサ基板１５Ｈを結合した状態の遮光カバー２１の筒状収容部４６を、採光カバー４０の筒状結合部４３の弾性を利用して筒状結合部４３の内側に圧入する。これによって、筒状結合部４２が筒状収容部４４の外面に密着し、筒状収容部４６と筒状結合部４３が環状密着状態となり、筒状収容部４６内への外光の侵入が遮断される。
【００５２】
実施例では、光センサＳＳは受光素子の周囲を透光性樹脂で覆う円筒形状であるため、筒状収容部４６及び筒状結合部４３も円筒形状である。
遮光カバー２１は、比較的剛性を有するＰＢＴ（ポリブチレンテレフタレート）等の電気絶縁性の合成樹脂製で所定形状に成形されている。
筒状結合部４３と弾性係止部４４が弾力性を有するようにするために、採光カバー４０は合成樹脂製であり、シリコンゴム等の弾力性を有する材質で所定形状に成形されている。
【００５３】
筒状収容部４６は、光センサＳＳを収容する部分であり、中間部に光センサＳＳを配置する配置部５０をなし、配置部５０の底部が光センサＳＳの支持部５３であり、配置部５０の前方である採光開口４５までが、光センサＳＳの外周と略同じ内径を有する筒状をなし、配置部５０の後方、即ち支持部５３から後方へ光センサＳＳの２本のリード５４がそれぞれ通る貫通孔５７が形成される。これによって、貫通孔５７、５７相互間にリード５４を電気的に分離するする電気絶縁隔壁５５が、筒状収容部４６と一体に形成される。
【００５４】
筒状収容部４６は、採光開口４５側の端部から所定範囲までの外周が、筒状結合部４３の内径よりも小さい小外形部５１となっている。このため、小外形部５１は抵抗なく筒状結合部４３の内側に挿入でき、その状態から筒状収容部４６を筒状結合部４３の内側に圧入することにより、筒状収容部４６と筒状結合部４３の弾性結合作業がし易くなる。
【００５５】
筒状収容部４６と筒状結合部４３との結合作業において、遮光カバー２１が正規の状態よりも傾いた状態で結合されることを防ぐために、遮光カバー２１には、環状フランジ４７から延出し筒状収容部４６の外周面を筒状に覆う外覆筒状部５２を形成している。これによって、採光カバー４０の筒状結合部４３と遮光カバー２１の筒状収容部４６の結合作業において、遮光カバー２１が正規の状態よりも傾いた姿勢となる場合、外覆筒状部５２の先端が本体２の後壁２Ｂの内側面である採光窓２Ｈの周縁部に当接するため、その傾きが矯正され、最終的に正規状態の結合姿勢となる。
【００５６】
センサ基板１５Ｈを本体２の後部空間４Ｂの所定位置に保持するために、センサ基板１５Ｈの上端部が当接し支持される一対の支持ボス５６が、本体の上壁２Ｔに一体形成されている。支持ボス５６は図１５に示すように遮光カバー２１またはセンサ基板１５Ｈを受け入れる三角形状の窪み５６Ｂを有しており、遮光カバー２１またはセンサ基板１５Ｈは、この支持ボス５６に支持された状態で後壁２Ｂに沿って下後方へ向けた傾斜状態となる。図示の形態は、支持ボス５６には遮光カバー２１の上端部が当接している。
【００５７】
筒状収容部４６は、配置部５０に光センサＳＳの裏側（リード側）を支持する支持部５３を有することにより、光センサＳＳの２本のリード５４がそれぞれ貫通孔５７に挿通される状態で、筒状収容部４６の所定位置に光センサＳＳを収容でき、その状態で、光センサＳＳのリード５４がセンサ基板１５Ｈの貫通孔５８にそれぞれ挿通される状態で、リード５４が図１６の左側面であるセンサ基板１５Ｈの配線部に半田付けされる。
【００５８】
遮光カバー２１には、配置部５０からセンサ基板１５Ｈまでの間に、リード５４がそれぞれ通る貫通孔５７相互間に電気絶縁隔壁５５を一体形成しており、センサ基板１５Ｈには、各貫通孔５７に対応してセンサ基板１５Ｈに形成した貫通孔５８相互間のセンサ基板１５Ｈの一部で形成される電気絶縁隔壁５９が存在する。これら電気絶縁隔壁５５と電気絶縁隔壁５９によって、光センサＳＳのリード５４相互の接触を防止できる。
【００５９】
上記のように、光センサＳＳを電気的に接続したセンサ基板１５Ｈが結合された遮光カバー２１と、採光カバー４０とが結合された状態において、図示のように、センサ基板１５Ｈの上端部は本体の上壁２Ｔに一体形成した支持ボス５６に支持された状態で、センサ基板１５Ｈは後壁２Ｂに沿って下後方へ向けた傾斜状態となる。
【００６０】
この状態において、上記のように本体２内に制御基板１５を取り付けることにより、制御基板１５の後端部がセンサ基板１５Ｈの前側面の上部に近接または当接する状態となる関係である。制御基板１５の後端部がセンサ基板１５Ｈに当接する状態になっても、遮光カバー２１またはセンサ基板１５Ｈの上端部が支持ボス５６に支持されているため、センサ基板１５Ｈが押されてずれることはない。
これによって、センサ基板１５Ｈの後退を制御基板１５が阻止することができるため、振動等によって遮光カバー２１が採光カバー４０から外れる方向へ移動しようとしても、その結合が外れないように維持でき、光センサＳＳへ侵入しようとする不要な外光を遮る状態を維持できるものとなる。
このようにビス止めしない構成でもってセンサ基板１５Ｈを保持することができる。
【００６１】
実施形態では透光性カバー３を備えるが、本発明は、透光性カバー３を設けずに、配光ユニット８が
透光性カバー３の役目を兼用するように、配光部８２を一体形成する板状部８１の平面積を広くして、
配光ユニット８が本体２の開口部２Ａの周縁を巡るフランジ２Ｆの内側において、開口部２Ａの全体を覆う大きさに形成する形態でも、同様の作用効果を奏することができる。
【符号の説明】
【００６２】
１          照明器具
２          本体
２Ａ        本体の開口部
２Ｂ        後壁
２Ｆ        フランジ
２Ｈ        採光窓
３          透光性カバー
４          内部空間
４Ａ        前部空間
４Ｂ        後部空間
５          ＬＥＤ基板
６          発光部
７          ＬＥＤ素子
８          配光ユニット
１０        取り付け部
１１        熱伝導リブ
１４        制御部
１５        制御基板
２１        遮光カバー
４０        採光カバー
４２        採光頭部
４３        筒状結合部
４４        弾性係止部
４５        採光開口
４６        筒状収容部
４７        フランジ
４８        係止爪
４９        係止孔
５０        配置部
５１        小外形部
５２        外覆筒状部
５３        支持部
５５        電気絶縁隔壁
５６        支持ボス
【図１】
0006784990.tif 000002
【図２】
0006784990.tif 000003
【図３】
0006784990.tif 000004
【図４】
0006784990.tif 000005
【図５】
0006784990.tif 000006
【図６】
0006784990.tif 000007
【図７】
0006784990.tif 000008
【図８】
0006784990.tif 000009
【図９】
0006784990.tif 000010
【図１０】
0006784990.tif 000011
【図１１】
0006784990.tif 000012
【図１２】
0006784990.tif 000013
【図１３】
0006784990.tif 000014
【図１４】
0006784990.tif 000015
【図１５】
0006784990.tif 000016
【図１６】
0006784990.tif 000017
【図１７】
0006784990.tif 000018
【図１８】
0006784990.tif 000019
【図１９】
0006784990.tif 000020
【図２０】
0006784990.tif 000021